(57)【要約】【課題】  魚信が感知しやすく、かつ、魚を釣上げる際には十分な柔軟性を発揮して、魚の横走り等に容易に堪え釣り糸の切断等を未然に防止し得る伸縮式振出竿を提供する。【解決手段】  元竿２にリールシート４を装着するとともに、穂先竿１の竿先側に位置する竿先側部分１ａに釣り糸ガイド６を装着する。竿先側部分１ａを、その竿先側部分１ａより竿尻側に位置する竿尻側部分１ｂに比べて高剛性なものに構成してある。竿尻側部分１ｂを元竿２内に収納した状態で保持するとともに、竿尻側部分１ｂを元竿２の竿先側に引き出した伸長状態に保持可能に構成するとともに、伸長状態で竿尻側部分１ｂが魚の引きを受けて曲がり易くなっている。【選択図】        図１
2008263843.tif 000002
【特許請求の範囲】
【請求項１】
小径竿体と大径竿体とを備え、それらにリールを装着するリールシートとリールから繰り出された釣り糸を誘導する釣り糸ガイドとを備えている釣り竿であって、
前記小径竿体を前記大径竿体に収納した収納状態においてもその状態を保持する保持機構を備え、
前記保持機構を、前記小径竿体に第１外周側合わせ部と、前記第１外周側合わせ部より竿尻側に位置する第２外周側合わせ部とを設けるとともに、前記大径竿体に第１内周側合わせ部と、前記第１内周側合わせ部より竿尻側に位置する第２内周側合わせ部とを設け、前記小径竿体の第１外周側合わせ部を前記大径竿体の第１内周側合わせ部に合わせ、かつ、前記小径竿体の第２外周側合わせ部を前記大径竿体の第２内周側合わせ部に合わせることによって、前記収納状態を現出すべく構成し、
前記大径竿体にリールシートを装着するとともに、前記小径竿体の前記第１外周側合わせ部より竿先側に位置する竿先側部分に釣り糸ガイドを装着し、前記竿先側部分を、前記竿先側部分より竿尻側に位置する竿尻側部分に比べて高剛性なものに構成してある伸縮式振出竿。
【請求項２】
前記竿先側部分が弾性率の高い高剛性なものに構成してあるとともに、前記竿尻側部分が弾性率の低い低剛性なものに構成してある請求項１記載の伸縮式振出竿。
【発明の詳細な説明】
【技術分野】
【０００１】
本発明は、小径竿体と大径竿体とを備え、それらにリールを装着するリールシートとリールから繰り出された釣り糸を誘導する釣り糸ガイドとを備えている釣り竿に関する。
【背景技術】
【０００２】
上記した釣り竿においては、小径竿体としての中竿等と大径竿体としての元竿とが、同一のプリプレグで構成してあり、中竿等の剛性と元竿の剛性とは同じ剛性のものに構成されていた。
つまり、具体的には、最内層として炭素繊維等に熱可塑性樹脂を含浸させたプリプレグテープを巻回して構成する。最内層の上に、ＰＡＮ系炭素繊維に熱硬化性樹脂を含浸させた第１ＰＡＮ系層を形成する。第１ＰＡＮ系層の上に、ピッチ系炭素繊維に熱硬化性樹脂を含浸させた第１ピッチ系層を形成する。第１ピッチ系層の上に、ＰＡＮ系炭素繊維に熱硬化性樹脂を含浸させた第２ＰＡＮ系層を形成する。炭素繊維等に熱可塑性樹脂を含浸させたプリプレグテープを巻回して最外層を構成する（特許文献１参照）。
【０００３】
【特許文献１】再公表特許（国際公開番号ＷＯ２００３／０９２３７２、第４頁第３２行〜第３５行、第５頁第２４行〜第４７行、及び、図２）
【発明の開示】
【発明が解決しようとする課題】
【０００４】
上記した構成においては、小径竿体と大径竿体とが同一の剛性を呈するところから、次ぎのような不都合があった。
つまり、釣り竿に要求される機能又は性状として、魚信が感知しやすく、かつ、魚を釣上げる際には十分な柔軟性を発揮して、魚の横走り等に容易に堪え得て釣り糸の切断を未然に防止することができることが挙げられる。
しかし、上記構成においては、同一の剛性に設定してあるので、剛性を高くして魚信を感知しやすくすると、柔軟性に欠ける面があり、反対に、剛性を低くすれば、柔軟性は高まり魚の横走り等に容易に堪え釣り糸の切断等を未然に回避し得るものとできるが、魚信の感知性に劣る面があり、両機能または性状を満たす釣り竿を提示できてなかった。
【０００５】
本発明の目的は、魚信が感知しやすく、かつ、魚を釣上げる際には十分な柔軟性を発揮して、魚の横走り等に容易に堪え釣り糸の切断等を未然に防止し得る伸縮式振出竿を提供する点にある。
【課題を解決するための手段】
【０００６】
〔構成〕
請求項１に係る発明の特徴構成は、小径竿体を大径竿体に収納した収納状態においてもその状態を保持する保持機構を備え、
前記保持機構を、前記小径竿体に第１外周側合わせ部と、前記第１外周側合わせ部より竿尻側に位置する第２外周側合わせ部とを形成するとともに、前記大径竿体に第１内周側合わせ部と、前記第１内周側合わせ部より竿尻側に位置する第２内周側合わせ部とを形成し、前記小径竿体の第１外周側合わせ部を前記大径竿体の第１内周側合わせ部に合わせ、かつ、前記小径竿体の第２外周側合わせ部を前記大径竿体の第２内周側合わせ部に合わせることによって、前記収納状態を現出すべく構成し、
前記大径竿体にリールシートを装着するとともに、前記小径竿体の前記第１外周側合わせ部より竿先側に位置する竿先側部分に釣り糸ガイドを装着し、前記竿先側部分を、前記竿先側部分より竿尻側に位置する竿尻側部分に比べて高剛性なものに構成してある点にあり、その作用効果は次の通りである。
【０００７】
〔作用〕
上記課題を解決する手段の一つとして、小径竿体と大径竿体とを伸縮自在に構成するとともに収縮状態でも保持可能な保持機構を設けた。このために、収縮状態でも大径竿体の竿先側に表出している竿先側部分に釣り糸ガイドを設けることとした。二つ目の手段としては、小径竿体を、釣り糸ガイドを備えた竿先側部分と竿先側部分より竿尻側に位置する竿尻側部分とを異なる性状のものに構成した。つまり、竿先側部分を竿尻側部分より剛性の大きなものとした。
【０００８】
このような構成によって、小径竿体の第１外周側合わせ部を大径竿体の第１内周側合わせ部に合わせ、かつ、小径竿体の第２外周側合わせ部を大径竿体の第２内周側合わせ部に合わせることによって、小径竿体を収縮状態に設定すると、前記第１外周側合わせ部より竿先側に位置する剛性の高い竿先側部分が大径竿体の竿先側に表出する。第１外周側合わせ部より竿尻側に位置する剛性の低い竿尻側部分が大径竿体の内部に位置する。
したがって、釣り竿の状態としては、小径竿体のうち竿尻側部分に比べて剛性の高い竿先側部分と大径竿体とが釣り竿として機能することとなる。小径竿体の竿先側部分に比べて剛性の低い竿尻側部分は大径竿体内に収縮されて、大径竿体と一体となって機能するところから、剛性の低い竿尻側部分を表出させる場合に比べて魚信の感知が容易になる。
【０００９】
一方、小径竿体の第２外周側合わせ部を大径竿体の第１内周側合わせ部に合わせることによって、小径竿体を伸長状態に設定することができる。そうすると、大径竿体の竿先側の直前位置に小径竿体の竿尻側部分が位置することとなる。
リールを取り付けた大径竿体の竿先側の直前位置に位置する例えば元上には、魚が針が掛かりした場合には、大きな荷重が作用することが鋭意研究の結果、良く知られている。
【００１０】
したがって、大径竿体の竿先側の直前位置に位置する部分が、竿先側部分に比べて剛性の低い柔軟性の高い小径竿体の竿尻側部分であるので、魚の引きや横走りに十分堪えながら、糸切れを未然に防止できる機能が高い。
以上のような構成を採るところから、仕掛けを垂らして魚の当りを待つ間は、小径竿体の竿尻側部分を大径竿体内に収縮させて、魚信を捉え易い状態にする。魚が掛かった場合には、小径竿体を伸長状態に切り換え、小径竿体の竿尻側部分で魚の引きに堪え、糸切れ等の不都合を回避する。
【００１１】
〔効果〕
小径竿体の外周面に釣り糸ガイドを取付けている外付け釣り糸ガイドの釣り竿であっても、伸縮式の振出竿に構成し、かつ、小径竿体の比較的剛性の低い部分を剛性の高い部分より竿尻側に配置する改善を施すことによって、相反する機能である、魚信が感知しやすく、かつ、魚を釣上げる際には十分な柔軟性を発揮して、魚の横走り等に容易に堪え釣り糸の切断等を未然に防止し得る伸縮式振出竿を提示することができた。
【００１２】
請求項２に係る発明の特徴構成は、前記竿先側部分が弾性率の高い高剛性なものに構成してあるとともに、前記竿尻側部分が弾性率の低い低剛性なものに構成してある点にあり、その作用効果は次の通りである。
【００１３】
〔作用〕
このような構成によって、小径竿体の第１外周側合わせ部を大径竿体の第１内周側合わせ部に合わせ、かつ、小径竿体の第２外周側合わせ部を大径竿体の第２内周側合わせ部に合わせることによって、小径竿体を収縮状態に設定すると、前記第１外周側合わせ部より竿先側に位置する剛性の高い竿先側部分が大径竿体の竿先側に表出する。第１外周側合わせ部より竿尻側に位置する剛性の低い竿尻側部分が大径竿体の内部に位置する。
したがって、釣り竿の状態としては、小径竿体のうち剛性の高い竿先側部分と大径竿体とが釣り竿として機能することとなる。小径竿体の剛性の低い竿尻側部分は大径竿体内に収縮されて、大径竿体と一体となって機能するところから、魚信の感知が容易になる。
【００１４】
一方、小径竿体の第２外周側合わせ部を大径竿体の第１内周側合わせ部に合わせることによって、小径竿体を伸長状態に設定することができる。そうすると、大径竿体の竿先側の直前位置に小径竿体の竿尻側部分が位置することとなる。
したがって、大径竿体の竿先側の直前位置に位置する部分が、剛性の低い柔軟性の高い小径竿体の竿尻側部分であるので、魚の引きや横走りに十分堪えながら、糸切れを未然に防止できる機能が高い。
つまり、大径竿体の竿先側の直前位置に位置する部分が、剛性の低い柔軟性の高い小径竿体の竿尻側部分であるので、魚の引きや横走りに十分堪えながら、糸切れを未然に防止できる機能が高い。
以上より、仕掛けを垂らして魚の当りを待つ間は、小径竿体の竿尻側部分を大径竿体内に収縮させて、魚信を捉え易い状態にする。魚が掛かった場合には、小径竿体を伸長状態に切り換え、小径竿体の竿尻側部分で魚の引きに堪え、糸切れ等の不都合を回避する。
【００１５】
〔効果〕
小径竿体の外周面に釣り糸ガイドを取付けている外付け釣り糸ガイドの釣り竿であっても、伸縮式の振出竿に構成し、かつ、小径竿体の比較的剛性の低い部分を竿尻側に配置する改善を施すことによって、相反する機能である、魚信が感知しやすく、かつ、魚を釣上げる際には十分な柔軟性を発揮して、魚の横走り等に容易に堪え釣り糸の切断等を未然に防止し得る伸縮式振出竿を提示することができた。
【発明を実施するための最良の形態】
【００１６】
伸縮式振出竿Ａについて説明する。図１に示すように、伸縮式振出竿Ａは、小径竿体としての穂先竿１と大径竿体としての元竿２とで構成してある。
【００１７】
穂先竿１について説明する。図１及び図２に示すように、穂先竿１は、竿軸線方向の中間位置に、大径膨出部を形成して第１外周側合わせ部１Ａとするとともに、竿尻側端部にも同じく大径膨出部を形成して第２外周側合わせ部１Ｂとしてある。第１外周側合わせ部１Ａより竿先側の部分を竿先側部分１ａと称し、第１外周側合わせ部１Ａより竿尻側の部分を竿尻側部分１ｂと称する。
竿先側部分１ａには、釣り糸ａを誘導する釣り糸ガイド６が複数個並設してある。
【００１８】
穂先竿１は、竿先側部分１ａと竿尻側部分１ｂとを別個の素材によって形成する。
まず、竿先側部分１ａについて説明する。図示してはいないが、炭素繊維等の強化繊維を引き揃え、その引き揃えた強化繊維群にエポキシ等の熱硬化性樹脂を含浸させてプリプレグシートを作成し、プリプレグシートから所定形状に裁断したシートパターンをマンドレルに巻回し、マンドレルとともに巻回したプリプレグを焼成し、焼成後マンドレルを脱芯し、焼成プリプレグ筒を所定長さに裁断した後に、外周面及び第２外周側合わせ部１Ｂ、第１外周側合わせ部１Ａに対する仕上げ研磨加工を行う。
【００１９】
尚、第１外周側合わせ部１Ａ及び第２外周側合わせ部１Ｂは、シートパターンの内で軸線方向長さが短いプリプレグテープや補強パターンを前記した軸線方向長さを有するメインシートパターンの上から巻回して大径化を図って作られる。
【００２０】
竿尻側部分１ｂについて説明する。竿尻側部分１ｂについては、炭素繊維に比べて弾性率の低い柔軟性の高いガラス繊維を使用する。ガラス繊維を引き揃え、引き揃えたガラス繊維群にエポキシ等の熱硬化性樹脂を含浸させて、プリプレグシートを作成する。以後、プリプレグシートを所定形状に裁断し、マンドレルに巻回し、焼成仕上げ工程を施すのは、竿先側部分１ａと同一である。
このように、ガラス繊維を強化繊維として使用しているので、柔軟性に富み、曲がり易い構成となっている。
【００２１】
上記のように構成した竿先側部分１ａと竿尻側部分１ｂとを、竿先側部分１ａと竿尻側部分１ｂとの接続部位に、竿の軸線方向に沿った長さが短いプリプレグテープや補強プリプレグテープを巻回して、接続連結して穂先竿１とする。
尚、プリプレグテープや補強プリプレグテープを巻回した前記接続部位は、外径が大きくなった膨出部に形成してあり、この膨出部分に研磨加工を施して所定の外径寸法となるように調整し、前記したように第１外周側合わせ部１Ａとなる。
【００２２】
次ぎに、元竿２の構成について説明する。図１及び図２に示すように、元竿２にリールＲを装着する板状リールシート４を取付糸で連結固定するとともに、竿尻端に尻栓５を螺着してある。
元竿２も穂先竿１の竿先側部分１ａと同一の製作方法を採っており、炭素繊維を強化繊維としたプリプレグによって製作される。
【００２３】
図２に示すように、元竿２の竿先側端部の内周面には、マンドレルの外周面に対応した傾斜面に形成してあり、前記した穂先竿１の第１、第２外周側合わせ部１Ａ、１Ｂに外嵌合すべく構成して、第１内周側合わせ部２Ａを形成してある。
図２に示すように、元竿２の竿尻側端部に第２内周側合わせ部としての嵌合保持体３を設けてあり、嵌合保持体３の内部に穂先竿１の竿尻端を受け止める座ゴム７を設けてある。以下、嵌合保持体３を説明する。
【００２４】
図２に示すように、嵌合保持体３は、ゴム製の筒状体であり、筒状の本体部３Ａと、本体部３Ａの竿尻端にフランジ部３ａが設けてある。本体部３Ａの外周面は、元竿２の竿尻側端部の内周面に内嵌合して、嵌合保持体３を元竿２に装着可能に構成するとともに、フランジ部３ａを元竿２の竿尻端と尻栓との間に位置するように形成してある。
【００２５】
図２に示すように、本体部３Ａの竿先側に穂先竿１の竿尻端を導入する竿先側開口３Ｂを形成するとともに、竿先側開口３Ｂを形成する周縁部分に傾斜誘導面３ｃを形成してある。傾斜誘導面３ｃで穂先竿１の竿尻端が、嵌合保持体３に嵌合する際に、偏芯した状態で傾斜誘導面３ｃに当接しても、傾斜誘導面３ｃがその竿尻端を所定の嵌合位置に誘導すべく構成してある。
【００２６】
本体部３Ａの内周面には、内向きに突出する突起部３ｂが円周方向複数個設けてあり、差し込まれた穂先竿１の竿尻側端部を弾性的に保持すべく構成してある。突起部３ｂの竿尻端に座ゴム７を当接する状態で設けてあり、その座ゴム７を突起部３ｂと尻栓５で押え固定してある。
図２に示すように、本体部３Ａの内周面で、突起部３ｂの竿尻側に雄ネジ３ｄが形成してあり、雄ネジ３ｄに尻栓５を螺着するように構成してある。
【００２７】
穂先竿１を元竿２に収納した収納状態においてもその状態を保持する保持機構Ｐについて説明する。
図１（イ）、及び、図２（イ）に示すように、穂先竿１に形成した第１外周側合わせ部１Ａを元竿２の第１内周側合わせ部２Ａに合わせ、かつ、穂先竿１の第２外周側合わせ部２Ｂを元竿２に装着した嵌合保持体３の突起部３ｂの内周面に合わせることによって、収納状態を現出すべく構成してある。
一方、図１（ロ）、及び、図２（ロ）に示すように、穂先竿１を引き出して、穂先竿１の第２外周側合わせ部１Ｂを元竿２の第１内周側合わせ部２Ａに合わせることによって、穂先竿１の伸長状態を維持できる。
以上のように、穂先竿１の第１外周側合わせ部１Ａと第２外周側合わせ部１Ｂ、及び、元竿２の第１内周側合わせ部２Ａと第２外周側合わせ部としての嵌合保持体３とで、穂先竿１を元竿２に収納した収納状態においてもその状態を保持する保持機構Ｐを構成する。
【００２８】
以上のような構成によって、次ぎのような使用態様となる。図１（イ）及び図２（イ）に示すように、穂先竿１を元竿２内に収納した状態では、元竿２の竿先側に穂先竿１の竿先側部分１ａが表出する状態で、元竿２に支持してある。この状態で穂先竿１の竿先側部分１ａが剛性の高いものであるので、魚信を捉えるのが容易な状態となっている。
【００２９】
図１(ロ）及び図２（ロ）に示すように、魚信を捉えて針掛かりした場合には、穂先竿１を伸長作動させて、魚の取り込みに掛かる。図２（ハ）に示すように、魚の引きが強く作用する場合には、穂先竿１における柔軟性の高い竿尻側部分１ｂが曲がりを生じて、穂先竿１の折損や釣り糸ａが切られるのを阻止する。
【００３０】
〔別実施形態〕
（１）小径竿体の竿先側部分１ａを竿尻側部分１ｂより高剛性のものにする構成として、前記実施例においては、竿先側部分１ａの強化繊維を炭素繊維とし、竿尻側部分１ｂの強化繊維をガラス繊維とするものを採用した。ここでは、例えば、繊維としては同じものを採用し、繊維の量を異なるものとしてもよい。つまり、竿先側部分１ａの繊維量を多くして剛性を高くする方法を採ってもよい。
【００３１】
（２）小径竿体の竿先側部分１ａを竿尻側部分１ｂより高剛性のものにする構成として、次ぎのような構成を採用してもよい。つまり、竿先側部分１ａとしては、マンドレルに巻回して筒状に形成したものではなく、ダイスを利用して強化繊維に樹脂を含浸させたものを引き出して中実棒状のものに構成してもよい。これによって、筒状のものに比べて剛性を高めることができる。
【００３２】
（３）穂先竿１の竿先側部分１ａの構成としては、次ぎのようなものであってもよい。つまり、竿先側部分１ｂが金属材料を芯材とし、芯材の周りにプリプレグ層を形成したものであってもよい。金属材料を導入することによって、プリプレグのみで竿尻側部分１ｂを構成する場合に比べて剛性を高めることができ、魚信の感知特性を向上させることができる。
【００３３】
（４）前記小径竿体を前記大径竿体に収納した収納状態においてもその状態を保持する保持機構Ｂについて、次ぎのような構成を採ってもよい。元竿２の第２内周側合わせ部として嵌合保持体３を別途形成して元竿２内に嵌合保持させているが、元竿の内周面を内向きに膨出する状態に構成し、第２内周側合わせ部として構成してもよい。
これと反対で、元竿２の第１内周側合わせ部２Ａとしては、元竿２の内周面をそのまま利用する形態になっているが、第２内周側合わせ部と同様に、嵌合保持体を嵌着する構成を取ってもよい。
（５）大径竿体と小径竿体との組み合わせとしては、元竿２と穂先竿１以外に、元竿２と元上、あるいは、中竿同士の間にも適用できる。
【図面の簡単な説明】
【００３４】
【図１】（イ）穂先竿の竿尻側部分を元竿内に収納した状態を示す伸縮式振出竿を示す側面図、（ロ）穂先竿の竿尻側部分を元竿内から引き出した状態を示し、竿尻側部分が曲がりを生じた状態を示す側面図
【図２】（イ）穂先竿の竿尻側部分を元竿内に収納した状態を示す縦断側面図、（ロ）穂先竿の竿尻側部分を元竿から引き出した状態を示す縦断側面図
【符号の説明】
【００３５】
１            穂先竿（小径竿体）
１Ａ          第１外周側合わせ部
１Ｂ          第２外周側合わせ部
１ａ          竿先側部分
１ｂ          竿尻側部分
２            元竿（大径竿体）
２Ａ          第１内周側合わせ部
４            板状リールシート（リールシート）
６            釣り糸ガイド
Ｐ            保持機構
【図１】
2008263843.tif 000003
【図２】
2008263843.tif 000004